(57)【要約】【課題】  熟練者による面割表の作成作業を無くし、手作業による紙コース及び面割表示の入力の手間を省くことができる新聞輪転機の紙コース自動設定方法を提供する。【解決手段】  印刷しようとする新聞の構成に基づき、新聞の総頁数、セクション、折機情報等の印刷に必要な条件の入力を促す画面を表示させ、入力された前記条件に対応する初期画面を頁番号とともに表示させ、多色印刷を行う頁の番号を前記画面上から指定し、前記指定に基づき、指定された前記頁番号の表示を単色印刷の表示から多色印刷の表示に切り換え、前記印刷部の機械構成及び前記レールフレーム部の機械構成と指定された多色印刷の頁とから、選択可能な紙コースを割り出し、割り出された紙コースから任意の紙コースを決定し、決定された一つの前記紙コースから、前記給紙部にセットされる巻き取り紙の種類を決定する。【選択図】    図３
2005144965.tif 000002
【特許請求の範囲】
【請求項１】
複数の給紙部と、この給紙部から供給された用紙の片面又は両面に印刷を行う印刷部と、この印刷部の一部に設けられた多色印刷を行う印刷部と、前記用紙の紙コースを決定するレールフレーム部と、このレールフレーム部の近傍に設けられ、必要に応じて前記レールフレーム部でスリッターナイフにより二分された新聞紙を重ね合わせ、折り畳んで新聞を形成する折り部とを有する輪転機における紙コースの自動設定方法において、
印刷しようとする新聞の構成に基づき、新聞の総頁数、セクション、折機情報等の印刷に必要な条件の入力を促す画面を表示させるステップと、
入力された前記条件に対応する初期画面を頁番号とともに表示させるステップと、
多色印刷を行う頁の番号を前記画面上から指定するステップと、
前記指定に基づき、指定された前記頁番号の表示を単色印刷の表示から多色印刷の表示に切り換えるステップと、
前記印刷部の機械構成及び前記レールフレーム部の機械構成と、指定された多色印刷の頁とから、選択可能な紙コースを割り出すステップと、
割り出された紙コースから任意の紙コースを決定するステップと、
決定された一つの前記紙コースから、前記給紙部にセットされる巻き取り紙の種類を決定するステップと、
を有することを特徴とする輪転機における紙コースの自動設定方法。
【請求項２】
決定された前記巻き取り紙の種類と前記紙コースとから、面割データを得ることを特徴とする請求項１に記載の輪転機における紙コースの自動設定方法。
【請求項３】
前記頁番号を、用紙ごとに区分けし、区分けされた区分ごとに前記表示の切り換えを行うことを特徴とする請求項１又は２に記載の輪転機における紙コースの自動設定方法。
【請求項４】
ベイウィンドによって移動させる用紙の幅が半幅か両幅かを判断して入力し、この判断に基づいて、前記区画ごとに、多色印刷及び単色印刷の表示の切り替えを行うことを特徴とする請求項１〜３のいずれかに記載の輪転機における紙コースの自動設定方法。
【請求項５】
多色印刷を行う頁番号の指定に基づいて決定された紙コースを、前記画面上に用紙と対応させた一覧表として選択的に表示させることを特徴とする請求項１〜４のいずれかに記載の輪転機における紙コースの自動設定方法。
【請求項６】
多色印刷を行う頁番号の指定に基づいて決定された紙コースを、選択的に前記画面に表示させることを特徴とする請求項１〜５のいずれかに記載の輪転機における紙コースの自動設定方法。
【発明の詳細な説明】
【技術分野】
【０００１】
本発明は、輪転機の紙コースを自動的に設定する紙コースの自動設定方法に関し、特に、オペレータが紙面構成に基づいて多色印刷を行う頁の設定を行うことで、紙コースを自動的に設定することのできる輪転機における紙コースの自動設定方法に関する。
【背景技術】
【０００２】
近年新聞の多色印刷面が増加する傾向にあり、多色印刷が可能な印刷部を複数備えた輪転機が普及してきている。
図１７に、新聞の印刷に使用されている輪転機の一例を示す。
輪転機１は、ローラ状の巻き取り紙から用紙を供給する複数の給紙部２と、この給紙部から供給された用紙の片面又は両面に印刷を行う複数の印刷部Ｔ５，Ｐ４，Ｐ３，Ｐ２，Ｔ１と、この印刷部Ｔ５，Ｐ４，Ｐ３，Ｐ２，Ｔ１で印刷された用紙の紙コースを決定するレールフレーム部１０と、このレールフレーム部１０を通過した用紙を集めて重ね合わせるガイドローラ部６と、このガイドローラ部６を経て重ね合わされた用紙を折り畳み、所定寸法に断裁して排出する折り部７とを有している。
【０００３】
このような輪転機においては、印刷開始前の準備段階で、紙通しと面割（印刷部の各版胴に対する紙面の割り付け）とを行う。
紙通しは、新聞を構成する紙面の総頁数及び多色面情報から、図１６に示すような色面構成表によって紙通しパターンＮＯを探し出し、そのパターンＮＯに相当する紙コースを探して、巻き取り紙を準備し、紙通しを行う。前記した色面構成表は、輪転機を製造するメーカー等が、輪転機の機械構成に応じて、輪転機ごとに作成し、ユーザーに提供している。
【０００４】
図１６に示すような色面構成表を使って、例えば、紙面の１頁〜８頁のいずれか、及び３３頁〜４０頁のいずれかに多色印刷を行う場合は、パターン１を利用し、このパターン１に相当する紙コースを探して、紙通しを行う。
一方、どの用紙にどの頁を割り付けるかという面割については、上流工程の熟練者が輪転機の全体配列から図１６の色面構成表及び図１７の紙コース図に基づいて、その後の印刷に適応した面割表を作成している。
【０００５】
あるいは、オペレータが、ＰＣＳ（新聞輪転機コンソールシステム）へ任意のパターンＮＯを登録し、その登録されたパターンＮＯに対して、同様に色面構成表及び紙コース図に基づいて、紙コースと面割情報を手作業によって入力・登録している。
一つの印刷が終わり、その次に形態の異なる印刷をする場合や、印刷途中で頁数変更や多色印刷面の変更があった場合には、同様な操作を行って、紙通しと面割とを行う必要があるが、その都度上記の作業を繰り返さなければならず、オペレータ等の作業者の負担になっていた。
【０００６】
なお、このようなオペレータ等の作業負担軽減のため、複数の紙コースのそれぞれに対応するコンペンセータローラをコンピュータに記憶させておき、操作盤の押釦の配列順序と用紙の重なり順序とを紙コースに応じて常に所定の関係になるように、押釦とコンペンセータローラとを自動的に選択接続する技術（特許文献１）や、紙コースを示す表示を行う表示装置に関する技術（特許文献２）等が種々提案されている。
【特許文献１】実開平３−３１５４５号公報
【特許文献２】特開平１−２２５５５７号公報
【発明の開示】
【発明が解決しようとする課題】
【０００７】
しかし、上記特許文献１，２に記載されたいずれの技術も、用紙のそれぞれがＨＳ紙なのか、ＧＳ紙なのか、あるいはベイウィンド紙なのかの判断はオペレータ等に委ねられていて、用紙のそれぞれについて正確な紙コースを迅速かつ的確に判断できるものではない。
【０００８】
本発明は、このような問題を解決するために提案されたものであり、上記のような熟練者による面割表の作成作業を無くし、従来のＰＣＳでの手作業による紙コース及び面割表示の入力の手間を省くことができる新聞輪転機における紙コースの自動設定方法の提供を目的とする。
【課題を解決するための手段】
【０００９】
上記の目的を達成するために、請求項１に記載の発明は、複数の給紙部と、この給紙部から供給された用紙の片面又は両面に印刷を行う印刷部と、この印刷部の一部に設けられた多色印刷を行う印刷部と、前記用紙の紙コースを決定するレールフレーム部と、このレールフレーム部の近傍に設けられ、必要に応じて前記レールフレーム部でスリッターナイフにより二分された新聞紙を重ね合わせ、折り畳んで新聞を形成する折り部とを有する輪転機における紙コースの自動設定方法において、印刷しようとする新聞の構成に基づき、新聞の総頁数、セクション、折機情報等の印刷に必要な条件の入力を促す画面を表示させるステップと、入力された前記条件に対応する初期画面を頁番号とともに表示させるステップと、多色印刷を行う頁の番号を前記画面上から指定するステップと、前記指定に基づき、指定された前記頁番号の表示を単色印刷の表示から多色印刷の表示に切り換えるステップと、前記印刷部の機械構成及び前記レールフレーム部の機械構成と、指定された多色印刷の頁とから、選択可能な紙コースを割り出すステップと、割り出された紙コースから任意の紙コースを決定するステップと、決定された一つの前記紙コースから、前記給紙部にセットされる巻き取り紙の種類を決定するステップとを有する方法である。
【００１０】
この場合、請求項２に記載するように、決定された前記巻き取り紙の種類と前記紙コースとから、面割データを得るようにするとよい。すなわち、紙コースが決定されると、それにともなって給紙部にセットされる巻き取り紙の種類も決定されるが、この巻き取り紙の種類（Ａ巻：新聞４頁巾、Ｃ巻：３頁巾、Ｄ巻：２頁巾）が決まると、面割も自動的に決定されるわけである。
【００１１】
また、請求項３に記載するように、前記頁番号を、用紙ごとに区分けし、区分けされた区分ごとに前記表示の変更を行うようにしてもよい。さらにこの場合は、請求項４に記載するように、ベイウィンドによって移動させる用紙の幅が半幅か両幅かを指定して入力し、この指定に基づいて、前記区画ごとに、多色印刷及び単色印刷の表示の切り替えを行うようにしてもよい。
【００１２】
また、請求項５に記載するように、多色印刷を行う頁番号の指定に基づいて決定された紙コースを、前記画面上に用紙と対応させた一覧表として選択的に表示させるようにしてもよいし、請求項６に記載するように、多色印刷を行う頁番号の指定に基づいて決定された紙コースを、選択的に前記画面に表示させるようにしてもよい。
【発明の効果】
【００１３】
本発明によれば、上流工程から提示された新聞構成に基づいて、オペレータがどの頁に多色印刷を行うかを画面上で指定するだけで、紙コースが自動的に設定される。そのため、熟練者による面割表の作成作業を無くし、従来のＰＣＳでの手作業による紙コース及び面割表示の入力の手間を省くことができ、オペレータの熟練度に関係なく、印刷しようとする新聞構成に基づいて簡単、迅速かつ正確に紙コースを決定し、適正な面割を得ることができる。
【発明を実施するための最良の形態】
【００１４】
［発明の実施の形態］
以下、本発明の好適な実施形態を、図面を参照しながら詳細に説明する。
なお、以下で説明する輪転機は、図１７に示した輪転機と同一構成のものとする。
［紙コースの条件設定の説明］
図１（ａ）は、給紙部２（図１７参照）から印刷部Ｔ５，Ｐ４，Ｐ３，Ｐ２，Ｔ１を経て送り出された用紙が選択可能な紙コースを示す図で、レールフレーム部１０の拡大図である。
【００１５】
印刷部Ｔ５，Ｐ４，Ｐ３，Ｐ２から送り出された用紙（説明の便宜上、印刷部と同じ符号を用い、用紙Ｔ５，Ｐ４，Ｐ３，Ｐ２と記載する）は、この輪転機の機械構成上、上から用紙Ｔ５，Ｐ４，Ｐ３，Ｐ２の順で、レールフレーム部１０に導入される。レールフレーム部１０の導入側には、五つのドラッグローラ１１５〜１１９が設けられ、このドラッグローラ１１５〜１１９のいずれかにおいて、図示しないスリッタで、用紙Ｔ５，Ｐ４，Ｐ３，Ｐ２のそれぞれが、ＨＳ紙とＧＳ紙の二つに分断される。
【００１６】
この輪転機においては、レールフレーム部１０の用紙導入側（図１の左側）に、上から順に、符号１０１〜１１０で示す十個のターンバーが準備されている。各ターンバー１０１〜１１０の導入側と導出側には、分断される用紙Ｔ５，Ｐ４，Ｐ３，Ｐ２のＨＳ紙とＧＳ紙とを案内するガイドローラが設けられている。なお、図には現れないが、各ターンバー１０１〜１１０と組み合わせてベイウィンドローラが設けられ、多色印刷された用紙Ｔ５（又は用紙Ｔ１）のＧＳ紙及びＨＳ紙のいずれか一方又は両方の紙コースを変えて、任意のターンバー１０２〜１１０の位置に割り込ませることができるようになっている。
【００１７】
ターンバー１０１〜１１０の下流側には、上から順に、符号１２１〜１３１で示す十一個のコンペセーターが設けられている。各コンペンセータ１２１〜１３１の導入側と導出側には、各用紙Ｔ５，Ｐ４，Ｐ３，Ｐ２のＨＳ紙及びＧＳ紙を案内するガイドローラが設けられている。
コンペンセータ１２１〜１３１から導出された用紙Ｔ５，Ｐ４，Ｐ３，Ｐ２のＨＳ紙及びＧＳ紙は、ガイドローラを経て、折り部に導かれる。
【００１８】
また、印刷部Ｔ５，Ｐ４，Ｐ３，Ｐ２に対して折り部の反対側にある多色印刷の印刷部Ｔ１から送り出された用紙Ｔ１は、図示しないスリッタによってＧＳ紙、ＨＳ紙の二つに分断され、図示しないターンバー、コンペンセータを経て、ガイドローラによって他の用紙Ｔ５，Ｐ４，Ｐ３，Ｐ２と合流し、折り部に導かれる。
【００１９】
さらに、この実施形態の輪転機では、スリッタによって切断される前の用紙Ｔ５の全幅を移動させる全幅用のベイウィンドと、スリッタによって切断された用紙Ｔ５，Ｔ１のＨＳ紙、ＧＳ紙のそれぞれを移動させることのできるＨＳ紙用のベイウィンド及びＧＳ紙用のベイウィンドとを有している。前記した全幅用のベイウィンドは、レールフレーム部１０のスリッタよりも上流に設けられ、半幅紙用の二つのベイウィンド（ＨＳ紙用のベイウィンド及びＧＳ紙用のベイウィンド）は、ターンバーに対して同じ側に設けられているものとする。
【００２０】
図１（ｂ）は、新聞の構成を示す図で、用紙Ｔ５，Ｐ４，Ｐ３，Ｐ２，Ｔ１と紙面の頁番号との関係を示す図である。
図１（ｂ）に示す新聞は、１０枚の用紙（便宜上、図面右側の紙面から順に(1)〜(10)の番号を付す）からなる４０頁版で、最大１６頁の多色印刷が可能な構成となっている。なお、各用紙の下に付した符号Ｈ，Ｇは、それぞれ、ＨＳ紙、ＧＳ紙を示している。
図１（ｂ）に示す新聞は、基本となる標準コース（標準面割）のもので、この紙コースを経たものは、１頁〜８頁と３３頁〜４０頁、つまり、(1)番目〜(4)番目の用紙の表裏面に多色印刷が可能である。
【００２１】
図１（ａ）の紙コース図及び図１（ｂ）の新聞構成においては、説明の便宜上、用紙Ｔ５，Ｐ４，Ｐ３，Ｐ２，Ｔ１の区別を線種の違いで表している。図１（ａ）に示すように、この標準紙コースでは、多色印刷の用紙Ｔ１のＨＳ紙とＧＳ紙が(1)番目と(2)番目に、多色印刷の用紙Ｔ５のＨＳ紙とＧＳ紙が(3)番目と(4)番目になっている。また、単色印刷の用紙Ｐ４のＨＳ紙とＧＳ紙が(5)番目と(6)番目に、単色印刷の用紙Ｐ３のＨＳ紙とＧＳ紙が(7)番目と(8)番目に、単色印刷の用紙Ｐ２のＨＳ紙とＧＳ紙が(9)番目と(10)番目にきている。
【００２２】
多色印刷が可能な用紙Ｔ１のＨＳ紙とＧＳ紙，用紙Ｔ５のＨＳ紙とＧＳ紙とは、前述したようにベイウィンドによって用紙順の変更が可能であるが、他の用紙Ｐ４，Ｐ３，Ｐ２については、この輪転機においては、用紙順が不変であることを前提とする。また、テンションの安定したストレート紙であるＨＳ紙は、なるべく紙コースを変更しないことが好ましいから、半幅の用紙でベイウィンドを使用して紙コースを変更する場合は、ＧＳ紙を優先させることを条件とする。
さらに、この実施形態の輪転機は、図２に示すように、ＧＳ紙用のベイウィンドＢＢとＨＳ紙用のベイウィンドＢＡとが同じ側にあることから、ＧＳ紙とＨＳ紙の両方をベイウィンドＢＡ，ＢＢで移動させる場合は、ＨＳ紙とＧＳ紙の上下関係が逆転することを条件とする。
【００２３】
また、図１（ａ）には、図１（ｂ）の用紙順(1)〜(10)に対応する番号を付しているが、折り部の手前で、新聞を構成する用紙順(1)〜(10)と同じ用紙順になるように、レールフレーム部１０を通過する各用紙Ｔ５，Ｐ４，Ｐ３，Ｐ２のＨＳ紙，ＧＳ紙及び用紙Ｔ１のＨＳ紙，ＧＳ紙の紙コースが選択されなければならない。この場合、同一用紙においてＨＳ紙とＧＳ紙は、ＨＳ紙が上に、ＧＳ紙が下になることを条件とする。
【００２４】
ここで、レールフレーム部１０のターンバー１０１〜１１０において、多色印刷の用紙Ｔ５のＨＳ紙及びＧＳ紙が選択できる紙コースは、最大で、ターンバー１０１〜１１０の全てである。用紙Ｐ２〜Ｐ４は、用紙Ｔ５の下からレールフレーム部１０に導入されるが、これら用紙の紙コースは、用紙Ｔ５のＨＳ紙及びＧＳ紙が選択した紙コースを除く紙コースで、かつ、上から用紙Ｐ４，Ｐ３，Ｐ２の順になることを条件とする。
【００２５】
図１（ａ）に示す例では、多色印刷を行った用紙Ｔ５は、ドラッグローラ１１５のところでＨＳ紙とＧＳ紙に分断され、ＧＳ紙は、上から三番目のターンバー（ターンバー１０３）を通り、ストレートのＨＳ紙は、ターンバー１０２とターンバー１０３の間を通っている。そのため、用紙Ｔ５の一つ下からレールフレーム部１０に導入され、ドラッグローラ１１６のところで分断された用紙Ｐ４のＨＳ紙及びＧＳ紙が選択できる紙コースは、三番目より下のターンバー（１０４〜１１０のいずれか）である。
【００２６】
また、図１（ａ）に示す例では、用紙Ｐ４は、ドラッグローラ１１７のところで分断される。そして、そのＨＳ紙は三番目のターンバー（１０３）と四番目のターンバー（１０４）との間を通り、ＧＳ紙はターンバー１０４を通っている。そのため、用紙Ｐ４の下の用紙Ｐ３が選択できる紙コースは、このターンバー１０４より下となる。
このように、輪転機の機械構成に応じて、各用紙Ｔ５，Ｐ４，Ｐ３，Ｐ２，Ｔ１のＨＳ紙及びＧＳ紙が選択し得る紙ルートを、上記したベイウィンドＢＡ，ＢＢを使用する上での条件、用紙順、ＨＳ紙，ＧＳ紙の順序等の規制条件とともに、予め制御装置に設定することができる。
【００２７】
ここで、ＨＳ紙とは、ドラッグローラ１１５〜１１９のところで分断された後にストレートの紙コースを辿るものをいい、ＧＳ紙とは、折り機でＨＳ片出しを条件としているため、ターンバーによってＨＳ紙の下に紙コースが変更されるものをいう。図１（ｂ）に示すように、標準の紙コースでは、ＨＳ紙とＧＳ紙とは交互に現れる。
【００２８】
図３は、印刷部における一組の版胴１０ＳＤ，１３ＳＤと用紙に印刷される紙面の頁番号との関係を説明する斜視図である。
図３に示すように、新聞４頁巾のＡ巻の用紙に対して、一つの版胴１０ＳＤ（１３ＳＤ）で、片側四頁分の印刷が同時に行われる。図３では、一方の版胴１０ＳＤで、用紙Ｔ１の３８頁，３頁，４０頁，１頁の紙面が一度に印刷される状態を示している。
【００２９】
版胴は、図示するように対向して二つ配置されているので、この二つの版胴１０ＳＤ，１３ＳＤによって、一枚の用紙の両面に、八頁分の紙面の印刷が同時に行われるわけである。
なお、ＨＳ，ＨＣは、印刷部を使った頁建てで基本となるストレートのもの（これらを総称してＨＳ紙という）の印刷を行う部分で、ＧＳ，ＧＣは、その下側に反転されずに入るもの（同ＧＳ紙という）の印刷を行う部分である。
【００３０】
［紙コースの自動設定の処理手順の説明］
次に、本発明の紙コースの自動設定方法の処理手順について説明する。以下の説明では、まず、電源投入後、紙コース未設定の状態から紙コースの設定を行う場合について、図４，図５のフローチャート及び図６〜図１１の操作画面を参照しながら説明する。
オペレータは、まず、上流工程から提供された新聞の紙面構成情報に従って、どの頁に多色印刷を行うかを判断する（ステップＳ１）。
次に、電源を投入して、操作画面をディスプレイに表示させる（ステップＳ２）。
【００３１】
次に、制御装置の電源を投入し、図示しないメインコンソールの操作パネルからメニュー画面／カラー頁入力を選択することで、図６に示すような操作画面（初期画面）を表示させる。
図６に示す操作画面２０には、登録パターン番号欄２１、印刷条件設定欄２２、カラー頁指定欄２３、リール指定欄２４等が表示される。
なお、前記のメニュー画面／カラー頁入力を選択した段階では、登録パターン番号欄２１、印刷条件設定欄２２、多色印刷頁指定欄２３及びリール指定表示欄２４の各欄には、その内容は表示されず、図６に示すように空白になっている。
次に、各種条件の入力を行う（ステップＳ３）。
【００３２】
図５は、ステップＳ３において各種の条件を入力するための処理を示すフローチャートである。
まず、印刷条件設定欄２２の「総頁数」に、上流工程から提供された新聞構成情報に基づいて、新聞の総頁数を入力する（ステップＳ３１）。この実施形態では、印刷しようとする新聞の総頁数は４０頁であるから、キー入力等により、この欄に「４０」を入力する。これにより、制御装置に印刷条件として総頁数４０頁が入力される。
【００３３】
次に「セクション」について、上流工程から提供された新聞構成情報に基づいて、有無の中から「無」を選択し、入力する（ステップＳ３２）。これにより、制御装置に、印刷条件としてセクション無しが入力される。
次に、「折機情報」について、上流工程から提供された新聞構成情報に基づいて、「片出し」及び「両出し」のうちのいずれか一方を選択する（ステップＳ３３）。この場合は、「片出し」を選択する。これにより、制御装置に折機情報の片出しが入力される。
【００３４】
以上の条件を入力すると、４０頁紙面の紙コースが選択されて、図７に示すような画面が表示される。図７に示す画面では、印刷条件設定欄２２に、先ほど入力した総頁、セクション、折機情報の入力内容が表示され、多色印刷頁指定欄２３には、総頁数４０頁、セクション無し、片出しの頁番号が表示される（ステップＳ３４）。この段階では、未だカラー頁の指定は行われておらず、各頁番号の表示は単色印刷及び多色印刷の区別なく、例えば青で表示される。また、登録パターン番号表示欄２１及びリール表示欄２４も空白のままである。
【００３５】
ここで、多色印刷頁指定欄２３は、一枚の用紙に印刷される頁番号が、用紙ごとに区分けされて表示される。例えば、頁番号１，２，３９，４０の区画は、用紙Ｔ１のＨＳ紙を指し、その隣の頁番号３，４，３７，３８の区画は、用紙Ｔ１のＧＳ紙を指している。以後、順に、Ｔ５，ＨＳ、Ｔ５，ＧＳ、Ｐ４，ＨＳ、Ｐ４，ＧＳ、Ｐ３，ＨＳ、Ｐ３，ＧＳ、Ｐ２，ＨＳ、Ｐ１，ＧＳとなる。各区画がどの用紙に該当するのかをわかりやすくするために、図７の画面の多色印刷頁指定欄２３の下に、用紙Ｔ１，ＨＳ，ＧＳ、用紙Ｔ５，ＨＳ，ＧＳ・・・を表示させるようにしてもよい。
【００３６】
次に、図７の画面上から、多色印刷頁番号の指定を行う（ステップＳ３６）。多色印刷を行う頁を、図７の多色印刷頁指定欄２３の頁番号の中から選んで、当該頁番号をクリックすることにより入力を行う。任意の頁番号をクリックすれば、クリックされた頁番号を含む面の反対側の面の頁番号も同時に入力される。例えば、頁番号（３９）をクリックして、一側面及び他側面の頁番号（１，２，３９，４０）を青色表示から赤色表示に変更させることで、多色印刷を行う頁の指定入力が完了する。
【００３７】
この入力を行うに先立ち、図示しない「二枚」「四枚」を予め設定することによって、入力する頁設定範囲を半幅分あるいは両幅分に設定することができる（ステップＳ３５）。ここで、「二枚」とは新聞二枚分、つまり四頁半幅を意味し、「四枚」とは新聞四枚分、つまり八頁両幅を意味する。多色印刷を行う頁番号が一枚の用紙内に納まっているときは、「二枚」を選択し、用紙二枚に跨っている場合は「四枚」を選択する（ステップＳ３７）。
【００３８】
ステップＳ３７で、「二枚」を選択している場合（ステップＳ３７）は、多色印刷を行う頁番号を含む一区画分（用紙一枚分、四頁）の表示が切り替わり（ステップＳ３８）、「四枚」を選択すると、多色印刷を行う頁番号を含む二区画分（用紙二枚分、八頁）の表示が切り替わる（ステップＳ３９）。
図８は、１〜４頁及び３７〜４０頁の中の少なくとも一頁、５，６，３５，３６頁の中の少なくとも一頁及び１９，２０，２２，２１頁の中の少なくとも一頁を、多色印刷頁番号として指定した場合の表示画面を示している。
【００３９】
なお、この表示画面は、前記の「二枚」又は「四枚」に対して、「二枚」が選択されているときのものを示している。図８に示すように、この場合は１〜４頁及び３７〜４０頁、５，６，３５，３６頁及び１９，２０，２２，２１頁が多色印刷の表示に切り替わる。
なお、図８では、図示の便宜上、多色印刷を行う頁番号を斜体及び下線を付して示して単色印刷のものと区別しているが、多色印刷を行う頁番号と単色印刷を行う頁番号を識別できる表示であれば上記に限らず、例えば、色分けによって行うことも可能である。この場合は、単色印刷を行う用紙の頁番号を例えば青で、多色印刷を行う用紙の頁番号を例えば赤で表示するようにしてもよい。
【００４０】
図８の操作画面を表示させた後、画面上の「紙コース検索」ボタンを押して、印刷しようとする新聞紙の紙面構成にしたがった紙コースの検索を開始させる（ステップＳ４）。この紙コースの検索により、全ての用紙Ｔ５，Ｐ４，Ｐ３，Ｐ２，Ｔ１のＨＳ紙及びＧＳ紙の紙コースの検索が行われる。この際、全ての用紙Ｔ５，Ｐ４，Ｐ３，Ｐ２，Ｔ１のＨＳ紙及びＧＳ紙について、紙コースの選択が行われる。この選択は、選択可能な紙コースの条件に従って行われる。
【００４１】
なお、この実施形態では、制御装置は、図４のステップＳ４で選択された紙コースから、多色印刷を行う用紙Ｔ５，Ｔ１についてベイウィンドによる割り込み操作が必要であるかを判断する（ステップＳ５）。ベイウィンドを使用する用紙はＧＳ紙であることが好ましいから、制御装置には予めベイウィンドを通す用紙がＧＳ紙であることが設定されている。制御装置は、図４のステップＳ５でベイウィンドによる割り込みを行うかどうかを判断し、割り込みを行う場合は、その用紙が全幅紙であるかどうかを判断する（ステップＳ６）。
【００４２】
全幅紙でない場合は、入力された多色印刷の頁番号の並び方から、半幅か両幅かを判断する。そして、半幅紙である場合、その用紙がＧＳ紙かどうかを判断し（ステップＳ１０）、ＧＳ紙でない場合は、ＨＳ紙，ＧＳ紙の双方の割り込みを行うかどうかを判断するとともに、ＨＳ紙，ＧＳ紙の順序を判断する（ステップＳ１１）。前記したように、この実施形態の輪転機では、図２に示すようにＨＳ紙とＧＳ紙の上下関係が逆転するようなベイウィンド配置となっている。そのため、ＨＳ紙，ＧＳ紙の順序を判断した結果、ＧＳ紙がＨＳ紙の下にきている場合は、この紙コースは有効ではないとして、図４のステップＳ４に戻り、再度紙コースの検索を行う。
【００４３】
ステップＳ５で、ベイウィンドを使った割り込みが必要ないと判断した場合、若しくは、ベイウィンドを使って割り込みを行う場合に、ステップＳ６で割り込みを行う用紙が全幅である、又はステップＳ１０で半幅でＧＳ紙である、若しくは、ステップＳ１１でＨＳ紙，ＧＳ紙の両幅で、ＧＳ紙がＨＳ紙の上にきている、と判断した場合には、いずれの用紙Ｔ５，Ｐ４，Ｐ３，Ｐ２，Ｔ１のＨＳ紙及びＧＳ紙についても紙コースに干渉が生じていないことを条件に（ステップＳ７）、各用紙Ｔ５，Ｐ４，Ｐ３，Ｐ２，Ｔ１のＨＳ紙及びＧＳ紙の紙コースが決定される（ステップＳ８）。
【００４４】
ステップＳ７における判断の手順を、図１２を参照しながら説明する。
印刷部Ｔ５から送り出された用紙Ｔ５は、ターンバー１０１〜１１０のいずれの紙コースも選択可能である。
図１２に示すように、今、制御装置が、用紙Ｔ５を三番目のターンバー１０３に割り付けたとする。すると、印刷部Ｐ４から送り出された用紙Ｐ４の紙コースは、ターンバー１０３よりも下のターンバー１０４〜１１０のいずれかに制限されることになる。
図８の画面で指定した多色印刷頁によれば、用紙Ｔ５のＧＳ紙は、用紙Ｐ２のＧＳ紙よりも下方に割り付けられなければならず、ベイウィンドを使って紙コースを変更する必要がある。
【００４５】
ここで、制御装置は、図１２に示すように、用紙Ｐ４をターンバー１０４に割り付けるものとする。また、用紙Ｐ３及び用紙Ｐ２は、順次、ターンバー１０６及びターンバー１０８に割り付ける。そして、ベイウィンドを使って用紙Ｔ５のＧＳ紙をターンバー１０８よりも下方のターンバー１１０に割り付けるものとする。
また、用紙Ｔ５のＨＳ紙は、コンペンセータ１２３に割り付けられ、以下、順に、用紙Ｐ４のＨＳ紙がコンペンセータ１２４に、用紙Ｐ４のＧＳ紙がコンペンセータ１２５に、用紙Ｐ３のＨＳ紙がコンペンセータ１２６に、用紙Ｐ３のＧＳ紙がコンペンセータ１２７に、用紙Ｐ２のＨＳ紙がコンペンセータ１２９に、用紙Ｐ２のＧＳ紙がコンペンセータ１３０に割り付けられ、一番下の用紙Ｔ５のＧＳ紙がコンペンセータ１３１に割り付けられる。
【００４６】
この割り付けの過程では、用紙Ｔ５のＨＳ紙、用紙Ｐ４のＨＳ紙，ＧＳ紙、用紙Ｐ３のＨＳ紙，ＧＳ紙、用紙Ｐ２のＨＳ紙，ＧＳ紙及び用紙Ｔ５のＧＳ紙のいずれにも干渉が生じない。つまり、有効な紙コースが存在することから、制御装置は、この選択における紙コースを有効なものの一つとして候補に挙げる。
【００４７】
このように、制御装置は、多色印刷指定に基づき、組み合わせ可能な紙コースの一部又は全てについて干渉が生じるか否かの検証を行い、有効な紙コースと面割データとを一つ又は複数候補として挙げる。
紙コースが発見されると、図１１に示すように、工程図が表示される。有効な紙コースが複数発見された場合は、例えば、最初に作成された候補を画面上に表示させるとともに、いくつの紙コースが発見されたかが画面に表示される。図１１に示す例では、有効な紙コースが２個発見された場合を示しているが、図示するように、「紙コースが２個発見されました」と表示される。
【００４８】
各紙コースは、図中の「次へ」又は「前へ」ボタンを操作することで表示させ、他の候補に切り換えて、最適なものを選択するようにしてもよい。
紙コースが発見されると、図９に示すように、発見された紙コースにおけるリール構成の内容と、このリール構成に基づく登録パターンの内容とが、それぞれ、リール表示欄２４及び登録パターン番号表示欄２１に表示される（ステップＳ９）。リール表示欄２４には、使用する巻き取り紙が、例えば赤色で表示される。また、登録パターンが登録パターン番号表示欄２１に「４００ＡＡＡ・・・」のように表示される。
【００４９】
また、複数の紙コースから一つの紙コースを決定すると、図１１の「紙コース情報表示」釦を操作することで、図１３に示すような一覧表が画面に表示される。
なお、図９、図１１及び図１３の各画面は、各画面中の所定の釦を操作することによって、適宜に切り替えることが可能である。
図１３は、図１１の「紙コース情報表示」を操作することで表示される紙コースを一覧表として表示させたものである。
この一覧表において、ドラッグローラ、ターンバー、コンペンセータの各番号は、図１，図１１及び図１４のドラッグローラ１１５〜１１９、ターンバー１０１〜１１０及びターンバー１４１，１４２、コンペンセータ１２１〜１３１及びコンペンセータ１５１，１５２に対応している。
【００５０】
この一覧表によれば、ターンバー１０３に導入された用紙Ｔ５のＧＳ紙が、ベイウィンドによって最下層のターンバー１１０に移動させられ、コンペンセータ１３１を経て、折り機に導入されていることがわかる。
図１３の画面左下の「イメージ図表示」釦を押すことで、図１１に示す紙コース図に、図示しないイメージ画面を表示させることができる。また、図１１の画面で、「紙コース展開」を操作することで、図１４に示すような紙コース図が表示される。これにより、オペレータは、用紙Ｔ５，Ｐ４，Ｐ３，Ｐ２，Ｔ１のそれぞれがどの紙コースを辿っているかを一目で判断することができる。
なお、上記した画面の表示内容は、プリンターによって印刷することも可能である。
【００５１】
この後、再び図９の操作画面に戻り、多色印刷頁指定欄の表示と上流工程から指示された印刷情報とが一致しているかどうかを確認し、画面中の「パターンＮＯ登録」釦を選択して、オペレータが登録パターン番号２２の末尾２桁を入力して登録する。この末尾２桁が、オペレータの管理用整理番号となる。
以後の印刷で同じ印刷形態の場合には、この管理用整理番号、あるいは、先に説明したようにプログラムが自動作成した「４００ＡＡＡ・・・」の登録番号を呼び出すことで、簡単に紙コースの設定を行うことが可能になる。
【００５２】
なお、図１４に示すような紙コース図から、釦操作によって、図１０に示すような面割データ画面を表示させることも可能である。図１０に示す面割データ画面では、各印刷部Ｔ５，Ｐ４，Ｐ３，Ｐ２，Ｔ１から送り出された用紙Ｔ５，Ｐ４，Ｐ３，Ｐ２，Ｔ１が、ＨＳ紙及びＧＳ紙の別及び各用紙Ｔ５，Ｐ４，Ｐ３，Ｐ２，Ｔ１に割り付けられる頁番号とともに、面割データ２６として一覧表示される。また、その下方には、図１０に示すように、印刷しようとする新聞の構成にしたがった色面構成図２７を表示させてもよい。図１０、図１３又は図１４のいずれの画面を表示させるかは、オペレータの任意である。
【００５３】
上記の説明では、４０頁建ての紙面構成の場合について説明したが、３２頁建ての紙面構成の場合も同様である。
また、４０頁建ての紙面構成の新聞印刷後に、３２頁建ての紙面構成の新聞の印刷を行う場合、つまり、４０頁建ての新聞印刷から３２頁建ての新聞印刷に切り替える場合は、以下の手順に従う。
【００５４】
４０頁建ての新聞印刷が終了した後、例えば図７の画面において、印刷条件設定欄２２の「総頁数」を３２頁に変更する。セクション指定及び折機指定は、前回（４０頁建て）と同様で、変更しないものとする。これにより、図７に示す画面でのカラー頁指定欄が、３２頁建てに対応した１〜３２の頁番号に変更される。なお、前記したように、この段階では、未だカラー頁の指定は行われておらず、各頁番号（１〜３２）の表示は単色印刷及び多色印刷の区別なく、例えば青色で表示される。
【００５５】
次に、４０頁建ての場合と同様に、多色印刷を行う頁番号をクリックして、例
えば、表示を青色から赤色に変えることで、多色印刷頁の指定を行う。このとき表示される画面は、図８と同様のものである。そして、「紙コース設定」を操作して、紙コースの選択と決定を行う。
紙コースが発見されると、図１１を参照しながら説明したように、工程図が表示され、複数の紙コースが発見された場合は、例えば、最初に作成された候補を画面上に表示させるとともに、いくつの紙コースが発見されたかが画面に表示される。そして、発見された紙コースから任意の紙コースを選択すると、選択された紙コースに対応するリール構成の内容と、このリール構成に基づく登録パターンの内容とが、それぞれ、リール表示欄２４及び登録パターン番号表示欄２１（図７Ｂ参照）に表示される。
【００５６】
リール構成は、制御装置が、３２頁建て及び選択された紙コースに応じて、四頁幅のＡ巻、三頁幅のＣ巻、二頁幅のＤ巻を組み合わせて行う。この場合、制御装置は、リール表示欄２４の用紙の中から、用紙二枚分を除去する。この除去は、例えば、赤色表示を青色表示に切り替えることで行う。図１５は、制御装置が、印刷部Ｐ２のＧＳ，ＧＣ及び印刷部Ｐ３のＧＳ，ＧＣを選択して除去した状態を示している。除去せずに残す部分は、説明及び図示の便宜上、斜体及び下線で示している。この場合のリール構成は、Ａ巻三つとＤ巻二つの「ＡＡＤＤＡ」（この表示は、印刷部Ｔ５，Ｐ４，Ｐ３，Ｐ２，Ｔｌの配置順に対応する）である。
【００５７】
なお、一定の条件下で選択できる３２頁建てのリール構成は、例に挙げた「ＡＡＤＤＡ」の他、「ＡＡＡ  Ａ」，「ＡＡＡＤＤ」・・・のようにいくつかあるが、発見された紙コースに対応して選択指定し決定できるようにするとよい。この決定が行われると、リール表示欄２４には、使用する巻き取り紙が、例えば赤色で表示される。また、登録パターンが、登録パターン番号表示欄２１に「３２０ＡＡＤＤＡ・・・・」のように表示される。
以後の処理は、４０頁建ての場合と同様である。
【００５８】
次に、４０頁建て新聞印刷終了後に、例えば図９の画面から「オール」を操作して３２頁建ての新聞印刷に切り替える手順について説明する。
図９の画面において、「オール」を操作すると、リール表示欄２４の巻き取り紙の表示が全て未指定の状態、例えば青色表示に切り替わり、多色印刷頁指定欄２３の番号も、１〜４０が全て単色印刷の表示、例えば、青色に切り替わる。
【００５９】
この状態で、上記と同様に、印刷条件設定欄２２の「総頁数」を４０頁から３２貢に変更すると、多色印刷頁指定欄２３の番号も１〜３２に変更される。そして、多色印刷頁指定欄２３の番号の中から多色印刷しようとする番号を選んで、表示を変更する（例えば、番号をクリックして青色表示を赤色表示に切り替える）。以後、上記と同様に、紙コース設定で紙コースが決定され、決定された紙コースに対応するリール構成の内容と、このリール構成に基づく登録パターンの内容とが、それぞれ、リール表示欄２４及び登録パターン番号表示欄２１に表示される。
【００６０】
次に、リール構成を最初に指定して４０頁建ての新聞印刷から３２頁建ての新聞印刷に切り替える場合について説明する。
４０頁建ての新聞印刷では、Ａ巻を五つ使っていたが、オペレータの判断により、四頁幅のＡ巻、三頁幅のＣ巻、二頁幅のＤ巻を適当に組み合わせ、３２頁建ての新聞印刷に切り替える。オペレータは、上流工程から提供された新聞構成情報から、多色印刷に必要な巻き取り紙、すなわち、印刷部Ｔｌ及び印刷部Ｔ５に使用する巻き取り紙と新聞の総頁数とから、前記の組み合わせを判断する
【００６１】
例えば、Ａ巻三つと、Ｄ巻二つの組み合わせを選択すること、つまり、リール構成を、例えば「ＡＡＤＤＡ」とすることで、３２頁建ての新聞印刷に切り替えることができる。そして、この場合は、リール表示欄２４の中から、オペレータが不要と判断した部分四つをクリックして、赤色から青色に変更する。この手順では、図１５に示す印刷部Ｐ２のＧＳ，ＧＣ及びＰ３のＧＳ，ＧＣをクリックして、色の反転（例えば、赤表示から青表示への切り替え）を行う。これにより、Ａ巻三つと、Ｄ巻二つの組み合わせが選択されたことになる。
【００６２】
以上の手順による巻き取り紙の決定により、多色印刷頁指定欄２３には、その巻き取り紙に応じた頁番号（１〜３２）が青色で革示される。以後は、４０頁建ての場合と同様に、多色印刷頁指定欄２３で多色印刷を行う頁番号をクリックし、青色表示を赤色表示に変更して、紙コースの選択と決定を行う。以後の手順は上記と同じである。
【００６３】
なお、上記の例のように８頁分の印刷が不要になる場合は、例えば、除去する用紙として印刷部Ｐ２のＧＳ，ＧＣ，ＨＣ，ＨＳを選択することで、Ａ巻四つによる３２頁建ての新聞印刷、つまり、「ＡＡＡ＿Ａ」のリール構成となる。このようにすることで、使用する印刷部と給紙部が四つで済み、省電力、省労力などの点で有利である。
【００６４】
また、リール構成を最初に指定して４０頁建てを３２頁建てに切り替える手順においても、例えば図９の画面から「オール」を操作することによって可能である。この場合も、図９の画面において、「オール」を操作すると、リール表示欄２４の巻き取り紙の表示が全て未指定の状態、例えば青色表示に切り替わるので、この状態から、除去する用紙を赤色表示に切り替えて指定する。以後の手順は上記と同じである。
【産業上の利用可能性】
【００６５】
本発明の好適な実施形態について説明したが、本発明は上記の説明に限定されるものではない。
例えば、上記の説明では、折り部の一側（図面左側）に多色印刷用の用紙を送り出する印刷部Ｔ５と、単色印刷用の用紙を送り出する印刷部ｐ４，Ｐ３，Ｐ２がこの順で配置され、折り部の他側（図面右側）に、多色印刷用の用紙を送り出する印刷部Ｔｌが配置された輪転機を例に挙げて説明したが、折り部に対して同じ側に複数の印刷部を有するものや、ターンバーの数が異なる他のあらゆる形態の輪転機に適用が可能である。
また、上記の説明では、４０頁建て及び３２頁建ての紙面構成を例に挙げて説明したが、３６頁建て等他の頁建ての紙面構成についても上記と同様である。
【図面の簡単な説明】
【００６６】
【図１】給紙部から印刷部を経て送り出された用紙が選択可能な紙コースを示す図で、レールフレーム部の拡大図である。
【図２】この実施形態におけるＧＳ紙用のベイウィンドとＨＳ紙用のベイウィンドの配置関係を示す図である。
【図３】印刷部における一組の版胴と用紙に印刷される紙面の頁番号との関係を説明する斜視図である。
【図４】紙コースの自動設定方法の処理手順を説明するフローチャートである。
【図５】図４のフローチャートのステップＳ３において各種の条件を入力するための処理を示すフローチャートである。
【図６】紙コースの自動設定を行うための操作画面を示す図で、電源投入時の初期画面である。
【図７】紙コースの自動設定を行うための操作画面を示す図で、総頁数やセクション等の印刷条件が入力されたときに表示される画面である。
【図８】図７の画面において多色印刷頁を指定したときに表示される画面である。
【図９】紙コース発見後に表示される画面である。
【図１０】釦操作によって表示される面割データの画面の一例を示すものである。
【図１１】紙コース発見後に画面に表示される工程図の一例を示す図である。
【図１２】図４のステップＳ７における判断の手順を説明する図である。
【図１３】図１１の「紙コース情報表示」を操作することで表示される紙コースを一覧表として表示させたものである。
【図１４】図１１の画面の「紙コース展開」を操作することで表示される紙コース図を示すものである。
【図１５】３２頁建ての新聞印刷に切り替える場合の用紙除去の一例を示すもので、印刷部Ｐ２のＧＳ，ＧＣ及びＰ３のＧＳ，ＧＣを除去した場合を示している。
【図１６】色面構成表の一部を示す図である。
【図１７】輪転機の一例を示す図である。
【符号の説明】
【００６７】
１０  レールフレーム部
２０  操作画面
２１  登録パターン番号表示欄
２２  印刷条件設定欄
２３  多色印刷頁指定欄
２４  リール表示欄
１０１〜１１０  ターンバー
１２１〜１３１  コンペンセータ
【図１】
2005144965.tif 000003
【図２】
2005144965.tif 000004
【図３】
2005144965.tif 000005
【図４】
2005144965.tif 000006
【図５】
2005144965.tif 000007
【図６】
2005144965.tif 000008
【図７】
2005144965.tif 000009
【図８】
2005144965.tif 000010
【図９】
2005144965.tif 000011
【図１０】
2005144965.tif 000012
【図１１】
2005144965.tif 000013
【図１２】
2005144965.tif 000014
【図１３】
2005144965.tif 000015
【図１４】
2005144965.tif 000016
【図１５】
2005144965.tif 000017
【図１６】
2005144965.tif 000018
【図１７】
2005144965.tif 000019